(57)【特許請求の範囲】
【請求項１】
内燃機関のシリンダヘッドに設けられたリフタボア内に収納され、回転軸方向にプロフィールが異なる３次元カムのカム面に対して揺動フォロアを介して接触することにより内燃機関の回転に応じて変化する前記３次元カムのリフト量をバルブ開度に反映させる３次元カム用バルブリフタであって、
回り止めのために前記リフタボア内の溝または突起に係合する突起または溝が一部に形成された円筒形の外周面と、
前記バルブのステムエンド部分の構成が収納される収納室と、
を備え、
前記外周面の中心軸と前記収納室の中心軸とがオフセットされているとともに、該オフセットにより生じた前記外周面と前記収納室との間の距離がほぼ最大となる部分に厚壁部を形成し、該厚壁部における前記外周面に前記回り止めのための突起または溝が形成されていることを特徴とする３次元カム用バルブリフタ。
【請求項２】
前記収納室は円筒形に形成されるとともに、該円筒形の内周面と前記外周面とはオフセットされて形成されていることにより、前記厚壁部を形成していることを特徴とする請求項１記載の３次元カム用バルブリフタ。
【請求項３】
前記リフタボア内の溝に係合する前記突起あるいは前記リフタボア内の前記突起は、係合対象の溝の側面に対向する面がＲ形状とされていることを特徴とする請求項１または２記載の３次元カム用バルブリフタ。
【請求項４】
前記リフタボア内の溝に係合する前記突起あるいは前記リフタボア内の前記突起は、係合対象の溝の側面に対向する面の前記バルブリフタの軸方向の両端部が緩やかな面取り形状とされていることを特徴とする請求項１または２記載の３次元カム用バルブリフタ。
【請求項５】
前記溝の代わりに長孔が用いられていることを特徴とする請求項１〜４のいずれか記載の３次元カム用バルブリフタ。
【請求項６】
請求項１〜５のいずれか記載の３次元カム用バルブリフタと、
内燃機関の回転に応じて回転し、回転軸方向にプロフィールが異なる３次元カムと、
前記３次元カム用バルブリフタ上に揺動可能に支持され、前記３次元カムのカム面に対して接触することにより内燃機関の回転に応じて変化する前記３次元カムのリフト量を前記３次元カム用バルブリフタに伝達する揺動フォロワと、
前記収納室の中心軸に対して中心軸が一致するように配置されたバルブステムと、
を備えた可変動弁装置であって、
前記３次元カム用バルブリフタのオフセットは、前記３次元カムの回転軸方向になされているとともに、
前記３次元カムおよび前記揺動フォロワは、前記３次元カム用バルブリフタの外周面の中心軸から前記バルブステムの中心軸側に配置されていることを特徴とする可変動弁装置。
【請求項７】
前記３次元カムおよび前記揺動フォロワは、前記バルブステムの中心軸にほぼ一致する位置に配置されていることを特徴とする請求項６記載の可変動弁装置。
【請求項８】
請求項１〜５のいずれか記載の３次元カム用バルブリフタと、
内燃機関の回転に応じて回転し、回転軸方向にプロフィールが異なる３次元カムと、
前記３次元カム用バルブリフタ上に揺動可能に支持され、前記３次元カムのカム面に対して接触することにより内燃機関の回転に応じて変化する前記３次元カムのリフト量を前記３次元カム用バルブリフタに伝達する揺動フォロワと、
を備えた可変動弁装置であって、
前記３次元カム用バルブリフタのオフセットは、前記３次元カムの回転軸方向になされているとともに、
前記３次元カムおよび前記揺動フォロワは、前記３次元カム用バルブリフタの外周面の中心軸にほぼ一致する位置に配置されていることを特徴とする可変動弁装置。
【請求項９】
請求項１〜５のいずれか記載の３次元カム用バルブリフタと、
内燃機関の回転に応じて回転し、回転軸方向にプロフィールが異なる３次元カムと、
前記３次元カム用バルブリフタ上に揺動可能に支持され、前記３次元カムのカム面に対して接触することにより内燃機関の回転に応じて変化する前記３次元カムのリフト量を前記３次元カム用バルブリフタに伝達する揺動フォロワと、
前記収納室の中心軸に対して中心軸が一致するように配置されたバルブステムと、
前記３次元カム用バルブリフタの外周面の中心軸から前記バルブステムの中心軸側に配置され、前記カムのカムシャフトを支持するジャーナル軸受と、
を備えた可変動弁装置であって、
前記３次元カム用バルブリフタのオフセットは、前記３次元カムの回転軸方向になされているとともに、
前記３次元カムおよび前記揺動フォロワは、前記３次元カム用バルブリフタの外周面の中心軸から前記バルブステムの中心軸側とは反対側に配置されていることを特徴とする可変動弁装置。
【請求項１０】
請求項１〜５のいずれか記載の３次元カム用バルブリフタと、
内燃機関の回転に応じて回転し、回転軸方向にプロフィールが異なる３次元カムと、
前記３次元カム用バルブリフタ上に揺動可能に支持され、前記３次元カムのカム面に対して接触することにより内燃機関の回転に応じて変化する前記３次元カムのリフト量を前記３次元カム用バルブリフタに伝達する揺動フォロワと、
前記収納室の中心軸に対して中心軸が一致するように配置されたバルブステムと、
を備えた可変動弁装置であって、
前記３次元カム用バルブリフタのオフセットは、前記３次元カムの回転軸とは直交方向になされているとともに、
前記３次元カムは、該３次元カムの回転軸が前記３次元カム用バルブリフタの外周面の中心軸から前記バルブステムの中心軸側に位置するように配置されていることを特徴とする可変動弁装置。
【請求項１１】
前記３次元カムは、該３次元カムの回転軸が前記バルブステムの中心軸あるいは該中心軸の近傍を通過する位置に配置されていることを特徴とする請求項１０記載の可変動弁装置。
【請求項１２】
請求項１〜５のいずれか記載の３次元カム用バルブリフタと、
内燃機関の回転に応じて回転し、回転軸方向にプロフィールが異なる３次元カムと、
前記３次元カム用バルブリフタ上に揺動可能に支持され、前記３次元カムのカム面に対して接触することにより内燃機関の回転に応じて変化する前記３次元カムのリフト量を前記３次元カム用バルブリフタに伝達する揺動フォロワと、
を備えた可変動弁装置であって、
前記３次元カム用バルブリフタのオフセットは、前記３次元カムの回転軸とは直交方向になされているとともに、
前記３次元カムは、該３次元カムの回転軸が前記３次元カム用バルブリフタの外周面の中心軸あるいは該中心軸の近傍を通過する位置に配置されていることを特徴とする可変動弁装置。
【請求項１３】
請求項１〜５のいずれか記載の３次元カム用バルブリフタと、
内燃機関の回転に応じて回転し、回転軸方向にプロフィールが異なる３次元カムと、
前記３次元カム用バルブリフタ上に揺動可能に支持され、前記３次元カムのカム面に対して接触することにより内燃機関の回転に応じて変化する前記３次元カムのリフト量を前記３次元カム用バルブリフタに伝達する揺動フォロワと、
前記収納室の中心軸に対して中心軸が一致するように配置されたバルブステムと、
前記３次元カム用バルブリフタの外周面の中心軸から前記バルブステムの中心軸側に配置され、前記カムのカムシャフトを支持するジャーナル軸受と、
を備えた可変動弁装置であって、
前記３次元カム用バルブリフタのオフセットは、前記３次元カムの回転軸とは直交方向になされているとともに、
前記３次元カムは、該３次元カムの回転軸が前記３次元カム用バルブリフタの外周面の中心軸から前記バルブステムの中心軸側とは反対側に位置するように配置されていることを特徴とする可変動弁装置。
【発明の詳細な説明】
【０００１】
【発明の属する技術分野】
本発明は、内燃機関に用いられる３次元カム用バルブリフタおよびこのバルブリフタを用いた可変動弁装置に関する。
【０００２】
【従来の技術】
従来、内燃機関の吸気バルブあるいは排気バルブの開閉弁タイミングを内燃機関の運転状態に応じて可変とする可変動弁装置が知られている。この可変動弁装置の一種として、図３８に示すごとく回転軸方向に移動可能な３次元カム１００２を用いてバルブ１００３のリフト量を可変とすることで開閉弁タイミングを調整するもの（特開平１０−１２１９２６号公報等）が知られている。
【０００３】
このような３次元カムを用いた可変動弁装置では、カム面１００２ａの傾斜角度が回転に応じて変化する。このため、バルブリフタ１００４の頂面１００４ａに３次元カム１００２の回転方向（図示矢印Ｓ方向）に平行に伸びるガイド溝１００５を形成している。そして、このガイド溝１００５内に、カム面１００２ａの傾斜角度の変化に応じて揺動可能な半円柱状の揺動フォロワ１００６を配置し、３次元カム１００２とバルブリフタ１００４との十分な接触状態を維持して耐久性を向上させている。
【０００４】
また、このような構成においては、３次元カム１００２のカム面１００２ａが揺動フォロワ１００６を介して斜めにバルブリフタ１００４に圧力をかける。このため、バルブリフタ１００４にはその軸回りに強いモーメントが作用して、内燃機関のシリンダヘッド１００９に設けられたリフタボア１００９ａ内で回転しようとする。この回転を許すと揺動フォロワ１００６の配置方向を変更してしまう。したがって、バルブリフタ１００４の回り止め機構として、バルブリフタ１００４の外周面１００４ｂに回り止め用の突起１００４ｃを設けて、リフタボア１００９ａの内周面に軸方向に形成されている溝に係合させている。こうして、バルブリフタ１００４のリフタボア１００９ａ内での軸方向への摺動を許すとともに回転を不能とし、揺動フォロワ１００６の配置方向を維持している。
【０００５】
【発明が解決しようとする課題】
しかし、内燃機関の軽量化の観点から、バルブリフタ１００４も薄肉化する傾向にある。このため回り止め用の突起１００４ｃの取り付け位置やその形状にも大きな制約が生じることとなる。
【０００６】
例えば、回り止め用の突起を外周面１００４ｂに取り付ける場合、薄肉部には圧入にて取り付けることが不可能となるため、圧入よりも手間のかかる溶接により取り付ける必要がある。しかもこのように溶接作業を行った場合には薄肉部に歪みを生じて、バルブリフタ１００４の真円度に悪影響を及ぼすおそれもある。更に、大きな突起は取り付けられないので相手方の溝に対する面圧が上がって耐久性に問題を生じる可能性もある。
【０００７】
バルブリフタ１００４に回り止め用の溝を形成する場合も同じであり、薄肉部に十分に深い溝を形成することができないため、シリンダヘッド側から挿入される突起との接触面積が小さくなり、面圧が上がって十分に耐久性のある回り止め機構が形成できないという問題点が存在する。
【０００８】
このため、十分に接触面積の大きな回り止め用の突起を形成しようとすると、バルブリフタ１００４の頂面１００４ａに近い比較的肉厚のある部分に小さい突起を形成することしかできず、回り止め機構の設計の自由度が極端に低下するという問題が存在する。
【０００９】
本発明は、３次元カム用バルブリフタの回り止め機構の設計の自由度を高めて、３次元カム用バルブリフタおよび可変動弁装置の耐久性の向上を図ることを目的とするものである。
【００１０】
【課題を解決するための手段】
請求項１記載の３次元カム用バルブリフタは、内燃機関のシリンダヘッドに設けられたリフタボア内に収納され、回転軸方向にプロフィールが異なる３次元カムのカム面に対して揺動フォロアを介して接触することにより内燃機関の回転に応じて変化する前記３次元カムのリフト量をバルブ開度に反映させる３次元カム用バルブリフタであって、回り止めのために前記リフタボア内の溝または突起に係合する突起または溝が一部に形成された円筒形の外周面と、前記バルブのステムエンド部分の構成が収納される収納室とを備え、前記外周面の中心軸と前記収納室の中心軸とがオフセットされているとともに、該オフセットにより生じた前記外周面と前記収納室との間の距離がほぼ最大となる部分に厚壁部を形成し、該厚壁部における前記外周面に前記回り止めのための突起または溝が形成されていることを特徴とする。
【００１１】
このように３次元カム用バルブリフタの外周面とステムエンド部分の構成が収納される収納室とのオフセットにより、厚壁部を形成する空間的余裕を生じさせるとともに、他の部分については極めて薄い状態にできる。このため、全体的にほとんど重量を上昇させず、あるいは厚壁部以外は更に薄肉化することで更に軽量化することができる。そして前記厚壁部には圧入などの容易な加工方法により突起を取り付けることができる。しかもこのように厚壁部であることにより３次元カム用バルブリフタに歪みを生じさせることなく十分な大きさの突起を取り付けられる。このため、相手方の溝に対する面圧を低下させることができ耐久性上も問題を生じるおそれがない。
【００１２】
また、３次元カム用バルブリフタの外周面に溝を形成する場合も十分に深い溝を形成できる。このため、相手方の突起に対する面圧を低下させるので耐久性上の問題を生じるおそれがない。
【００１３】
また、頂面付近でなくても、３次元カム用バルブリフタの外周面に回り止め機構を形成できるので、回り止め機構の設計の自由度が高まる。
請求項２記載の３次元カム用バルブリフタは、請求項１記載の構成に対して、前記収納室は円筒形に形成されるとともに、該円筒形の内周面と前記外周面とはオフセットされて形成されていることにより、前記厚壁部を形成していることを特徴とする。
【００１４】
オフセットにより生じた外周面と収納室との間の距離がほぼ最大となる部分に厚壁部を形成する場合、円筒形の外周面と円筒形の内周面との中心軸をオフセットして成形加工することにより実現してもよく、収納室としては円筒形の穴を形成すればよいので加工が容易である。
【００１５】
請求項３記載の３次元カム用バルブリフタは、請求項１または２記載の構成に対して、前記リフタボア内の溝に係合する前記突起あるいは前記リフタボア内の前記突起は、係合対象の溝の側面に対向する面がＲ形状とされていることを特徴とする。
【００１６】
このように、回り止め機構の突起においては前記溝の側面に対向する面がＲ形状とされていることにより、該面がストレートの場合に比較して、３次元カム用バルブリフタがコックした場合に、突起の上下端の角部が対向する溝の側面に接触することが防止される。このため、接触面圧を低い状態に維持して異常摩耗を防止し、回り止め機構の耐久性を向上させることができる。
【００１７】
請求項４記載の３次元カム用バルブリフタは、請求項１または２記載の構成に対して、前記リフタボア内の溝に係合する前記突起あるいは前記リフタボア内の前記突起は、係合対象の溝の側面に対向する面の前記バルブリフタの軸方向の両端部が緩やかな面取り形状とされていることを特徴とする。
【００１８】
このように、突起において前記溝の側面に対向する面の両端部が緩やかな面取り形状となっていても、３次元カム用バルブリフタがコックした場合に上下端の角部が対向する溝の側面に対して接触することが防止される。したがって前記請求項３と同じ作用効果を生じる。
【００１９】
請求項５記載の３次元カム用バルブリフタは、請求項１〜４のいずれか記載の構成に対して、前記溝の代わりに長孔が用いられていることを特徴とする。
このように突起の相手方として、溝以外に長孔を用いてもよく、同様な作用効果を生じる。
【００２０】
請求項６記載の可変動弁装置は、請求項１〜５のいずれか記載の３次元カム用バルブリフタと、内燃機関の回転に応じて回転し、回転軸方向にプロフィールが異なる３次元カムと、前記３次元カム用バルブリフタ上に揺動可能に支持され、前記３次元カムのカム面に対して接触することにより内燃機関の回転に応じて変化する前記３次元カムのリフト量を前記３次元カム用バルブリフタに伝達する揺動フォロワと、前記収納室の中心軸に対して中心軸が一致するように配置されたバルブステムとを備えた可変動弁装置であって、前記３次元カム用バルブリフタのオフセットは、前記３次元カムの回転軸方向になされているとともに、前記３次元カムおよび前記揺動フォロワは、前記３次元カム用バルブリフタの外周面の中心軸から前記バルブステムの中心軸側に配置されていることを特徴とする。
【００２１】
このように可変動弁装置において、請求項１〜５のいずれか記載の３次元カム用バルブリフタを採用することで、前述した各請求項における作用効果を生じさせることができる。
【００２２】
更に、オフセットは、前記３次元カムの回転軸方向になされているとともに、３次元カムおよび揺動フォロワは３次元カム用バルブリフタの外周面の中心軸よりもバルブステムの中心軸側に配置されている。すなわち、３次元カムおよび揺動フォロアは、３次元カム用バルブリフタの外周面の中心軸位置でなく、バルブステムに近づけた配置とされている。
【００２３】
このように、３次元カム用バルブリフタを間にして、３次元カムおよび揺動フォロワとバルブステムとが近い位置に存在する。したがって、３次元カム用バルブリフタの頂面部分の広い範囲で剛性を強くする必要がなく、３次元カムおよび揺動フォロワとバルブステムとの間の狭い範囲での剛性を維持すれば良い。このため、３次元カム用バルブリフタの頂面部分の広い範囲の剛性を肉厚により高くする必要が無く、３次元カム用バルブリフタを一層軽量化できる。
【００２４】
また、３次元カム−揺動フォロア−３次元カム用バルブリフタ−バルブステムで表されるリフト作用力の伝達経路が直線状態に近く形成される。このため、３次元カムの回転による圧力や衝撃力によっても、これらの作用力の伝達経路に歪みが生じにくい。したがって、３次元カム用バルブリフタの一層の軽量化と一層正確なバルブリフト量調整とが共に達成できる。
【００２５】
請求項７記載の可変動弁装置は、請求項６記載の構成に対して、前記３次元カムおよび前記揺動フォロワは、前記バルブステムの中心軸にほぼ一致する位置に配置されていることを特徴とする。
【００２６】
このように、３次元カムおよび揺動フォロワの位置をバルブステムの中心軸にほぼ一致させることとすれば、請求項６記載にて述べた３次元カム用バルブリフタの一層の軽量化と一層正確なバルブリフト量調整とが得られるという作用効果が一層顕著なものとなる。
【００２７】
請求項８記載の可変動弁装置は、請求項１〜５のいずれか記載の３次元カム用バルブリフタと、内燃機関の回転に応じて回転し、回転軸方向にプロフィールが異なる３次元カムと、前記３次元カム用バルブリフタ上に揺動可能に支持され、前記３次元カムのカム面に対して接触することにより内燃機関の回転に応じて変化する前記３次元カムのリフト量を前記３次元カム用バルブリフタに伝達する揺動フォロワとを備えた可変動弁装置であって、前記３次元カム用バルブリフタのオフセットは、前記３次元カムの回転軸方向になされているとともに、前記３次元カムおよび前記揺動フォロワは、前記３次元カム用バルブリフタの外周面の中心軸にほぼ一致する位置に配置されていることを特徴とする。
【００２８】
このように可変動弁装置において、請求項１〜５のいずれか記載の３次元カム用バルブリフタを採用することで、前述した各請求項１〜５における作用効果を生じさせることができる。
【００２９】
更に、オフセットは、前記３次元カムの回転軸方向になされているとともに、３次元カムおよび揺動フォロワの位置は、３次元カム用バルブリフタの外周面の中心軸にほぼ一致されている。
【００３０】
このように、円筒形の外周面の中心軸にほぼ一致するように３次元カムおよび揺動フォロアが配置されていることにより、揺動フォロアの長さを外周面の直径の長さにほぼ等しくできる。このため、３次元カムのカム面がその回転軸とは直交方向にて揺動フォロアに摺動できる長さが十分に確保できる。このことにより、３次元カムのカムノーズ高さを高くしてリフト量を大きくしたりあるいはリフト速度を高めることができ、リフト量の変化パターンの設計自由度が向上する。
【００３１】
また、３次元カムおよび揺動フォロワがバルブステムから離れる構成となるので、３次元カムがバルブ側に存在するジャーナル軸受から離れる。このため、３次元カムの回転軸方向での移動量を大きくすることができ、リフト量の変化をより大きく、変化パターンをより複雑にすることができる。
【００３２】
請求項９記載の可変動弁装置は、請求項１〜５のいずれか記載の３次元カム用バルブリフタと、内燃機関の回転に応じて回転し、回転軸方向にプロフィールが異なる３次元カムと、前記３次元カム用バルブリフタ上に揺動可能に支持され、前記３次元カムのカム面に対して接触することにより内燃機関の回転に応じて変化する前記３次元カムのリフト量を前記３次元カム用バルブリフタに伝達する揺動フォロワと、前記収納室の中心軸に対して中心軸が一致するように配置されたバルブステムと、前記３次元カム用バルブリフタの外周面の中心軸から前記バルブステムの中心軸側に配置され、前記カムのカムシャフトを支持するジャーナル軸受とを備えた可変動弁装置であって、前記３次元カム用バルブリフタのオフセットは、前記３次元カムの回転軸方向になされているとともに、前記３次元カムおよび前記揺動フォロワは、前記３次元カム用バルブリフタの外周面の中心軸から前記バルブステムの中心軸側とは反対側に配置されていることを特徴とする。
【００３３】
このように可変動弁装置において、請求項１〜５のいずれか記載の３次元カム用バルブリフタを採用することで、前述した各請求項１〜５における作用効果を生じさせることができる。
【００３４】
更に、オフセットは、前記３次元カムの回転軸方向になされているとともに、３次元カムおよび揺動フォロワの位置は、３次元カム用バルブリフタの外周面の中心軸からバルブのバルブステムの中心軸側とは反対側に配置されている。
【００３５】
このように、請求項８に比較して更にバルブステムから３次元カムおよび揺動フォロワが離されている。このため、３次元カムの位置がジャーナル軸受から大きく離れる。したがって、３次元カムの回転軸方向での移動量を一層大きくすることができ、リフト量の変化を更に一層大きく、またリフト量の変化パターンを更に一層複雑にすることができる。
【００３６】
請求項１０記載の可変動弁装置は、請求項１〜５のいずれか記載の３次元カム用バルブリフタと、内燃機関の回転に応じて回転し、回転軸方向にプロフィールが異なる３次元カムと、前記３次元カム用バルブリフタ上に揺動可能に支持され、前記３次元カムのカム面に対して接触することにより内燃機関の回転に応じて変化する前記３次元カムのリフト量を前記３次元カム用バルブリフタに伝達する揺動フォロワと、前記収納室の中心軸に対して中心軸が一致するように配置されたバルブステムとを備えた可変動弁装置であって、前記３次元カム用バルブリフタのオフセットは、前記３次元カムの回転軸とは直交方向になされているとともに、前記３次元カムは、該３次元カムの回転軸が前記３次元カム用バルブリフタの外周面の中心軸から前記バルブのバルブステムの中心軸側に位置するように配置されていることを特徴とする。
【００３７】
このように可変動弁装置において、請求項１〜５のいずれか記載の３次元カム用バルブリフタを採用することで、前述した各請求項における作用効果を生じさせることができる。
【００３８】
更に、オフセットは、３次元カムの回転軸とは直交方向になされているとともに、３次元カムの回転軸は３次元カム用バルブリフタの外周面の中心軸からバルブステムの中心軸側に位置されている。すなわち、３次元カムの回転軸は、３次元カム用バルブリフタの外周面の中心軸位置でなく、バルブステムに近づけた配置とされている。
【００３９】
したがって、３次元カムの回転軸は揺動フォロアの中央位置からシフトした位置に存在することになる。このため、バルブを開く際に３次元カムが揺動フォロアに接触する側（以下、カム開き側と称する）と、バルブを閉じる際に３次元カムが揺動フォロアに接触する側（以下、カム閉じ側と称する）とのいずれかにおける揺動フォロアの長さが長くなる。この長い方の揺動フォロア領域を利用すればリフト速度に初期と終期とで緩急をつけることが容易となり、バルブリフト量制御の自由度が向上する。
【００４０】
請求項１１記載の可変動弁装置は、請求項１０記載の構成に対して、前記３次元カムは、該３次元カムの回転軸が前記バルブステムの中心軸あるいは該中心軸の近傍を通過する位置に配置されていることを特徴とする。
【００４１】
このように構成することによっても、請求項１０記載の作用効果を生じさせることができる。
請求項１２記載の可変動弁装置は、請求項１〜５のいずれか記載の３次元カム用バルブリフタと、内燃機関の回転に応じて回転し、回転軸方向にプロフィールが異なる３次元カムと、前記３次元カム用バルブリフタ上に揺動可能に支持され、前記３次元カムのカム面に対して接触することにより内燃機関の回転に応じて変化する前記３次元カムのリフト量を前記３次元カム用バルブリフタに伝達する揺動フォロワとを備えた可変動弁装置であって、前記３次元カム用バルブリフタのオフセットは、前記３次元カムの回転軸とは直交方向になされているとともに、前記３次元カムは、該３次元カムの回転軸が前記３次元カム用バルブリフタの外周面の中心軸あるいは該中心軸の近傍を通過する位置に配置されていることを特徴とする。
【００４２】
このように可変動弁装置において、請求項１〜５のいずれか記載の３次元カム用バルブリフタを採用することで、前述した各請求項における作用効果を生じさせることができる。
【００４３】
更に、オフセットは、３次元カムの回転軸とは直交方向になされているとともに、３次元カムの回転軸は３次元カム用バルブリフタの外周面の中心軸あるいは該中心軸の近傍を通過する位置とされている。したがって、３次元カムの回転軸は揺動フォロアのほぼ中央位置に存在することになる。このため、揺動フォロアのカム開き側と揺動フォロアのカム閉じ側とはほぼ同等の長さとなる。したがって、バルブを開く場合も閉じる場合もリフト速度を同等とすることができ、このことからリフト量を十分に確保できることとなる。
【００４４】
請求項１３記載の可変動弁装置は、請求項１〜５のいずれか記載の３次元カム用バルブリフタと、内燃機関の回転に応じて回転し、回転軸方向にプロフィールが異なる３次元カムと、前記３次元カム用バルブリフタ上に揺動可能に支持され、前記３次元カムのカム面に対して接触することにより内燃機関の回転に応じて変化する前記３次元カムのリフト量を前記３次元カム用バルブリフタに伝達する揺動フォロワと前記収納室の中心軸に対して中心軸が一致するように配置されたバルブステムと、前記３次元カム用バルブリフタの外周面の中心軸から前記バルブステムの中心軸側に配置され、前記カムのカムシャフトを支持するジャーナル軸受とを備えた可変動弁装置であって、前記３次元カム用バルブリフタのオフセットは、前記３次元カムの回転軸とは直交方向になされているとともに、前記３次元カムは、該３次元カムの回転軸が前記３次元カム用バルブリフタの外周面の中心軸から前記バルブステムの中心軸側とは反対側に位置するように配置されていることを特徴とする。
【００４５】
このように可変動弁装置において、請求項１〜５のいずれか記載の３次元カム用バルブリフタを採用することで、前述した各請求項における作用効果を生じさせることができる。
【００４６】
更に、オフセットは、３次元カムの回転軸とは直交方向になされているとともに、３次元カムの回転軸は３次元カム用バルブリフタの外周面の中心軸からバルブステムの中心軸側とは反対側に位置されている。すなわち、３次元カムは、３次元カム用バルブリフタの外周面の中心位置にある場合よりも、バルブステムからより遠ざけた配置とされている。したがって、３次元カムの回転軸は揺動フォロアの中央位置からシフトした位置に存在することになる。このため、前記請求項１０と同様な作用効果が生じる。
【００４７】
更に、バルブステムから十分に３次元カムが離れていることにより、バルブ同士が近接しているような設計の内燃機関でも、３次元カムのシャフトの間隔（カム間ピッチ）を広くとることができる。また逆にバルブよりもカム間ピッチを狭くすることも可能である。したがって、内燃機関の設計自由度を向上させることができる。
【００４８】
【発明の実施の形態】
［実施の形態１］
図１は３次元カムを用いた可変動弁装置を示し、図２は、図１の構成が適用された車両用ガソリンエンジン（以下、エンジンと称する）１の概略構成を示している。このエンジン１のバルブ駆動方式はＤＯＨＣ４バルブタイプである。
【００４９】
エンジン１を構成するシリンダブロック２には複数のシリンダ３が設けられ、各シリンダ３にはピストン４が配置されている。各ピストン４はクランクケース５に支持されるクランクシャフト６に対しそれぞれコンロッド７にて連結されている。またクランクシャフト６の一端にはクランクシャフトタイミングプーリ８が設けられている。
【００５０】
シリンダブロック２の上側に設けられるシリンダヘッド９には、吸気側カムシャフト１０が複数のジャーナル軸受２２にて回転可能にかつ回転軸方向（図１図示矢印Ｃ１方向）に移動可能に支持されている。この吸気側カムシャフト１０には各シリンダ３に２つずつの吸気側カム１１が一体的に設けられている。更に、シリンダヘッド９には複数のジャーナル軸受（図示していない）にて排気側カムシャフト１２が回転可能にかつ回転軸方向に移動不可能に支持されている。この排気側カムシャフト１２には各シリンダ３に２つずつの排気側カム１３が一体的に設けられている。
【００５１】
吸気側カムシャフト１０の一端にはカムシャフトタイミングプーリ１４およびシャフト駆動機構１５が一体的に設けられている。一方、排気側カムシャフト１２の一端には、カムシャフトタイミングプーリ１６が設けられている。各カムシャフトタイミングプーリ１４，１６は前記クランクシャフトタイミングプーリ８にタイミングベルト１７で連結されている。このような構成により、クランクシャフト６が回転すると吸気側カムシャフト１０および排気側カムシャフト１２が回転駆動されるようになっている。
【００５２】
各シリンダ３には、吸気バルブ１８が２個ずつ配設されている。この吸気バルブ１８は、吸気側カム１１に対してバルブリフタ１９を介してそれぞれ駆動連結されている。各バルブリフタ１９は、シリンダヘッド９に設けられている後述するリフタボア内に回転不能かつ摺動可能に支持されている。
【００５３】
更に、各シリンダ３には、排気バルブ２０が２個ずつ配設されている。この排気バルブ２０は、排気側カム１３に対してバルブリフタ２１を介してそれぞれ駆動連結されている。各バルブリフタ２１は、シリンダヘッド９に設けられている図示していないリフタボア内に摺動可能に支持されている。
【００５４】
吸気側カムシャフト１０に支持されている吸気側カム１１は３次元カムであり、そのカム面１１ａのカムプロフィールがその回転軸方向に連続無段階に変化するように形成されている。一方、排気側カムシャフト１２に支持されている排気側カム１３はカムプロフィールがその回転軸方向に変化しない通常のカムである。
【００５５】
図３の拡大斜視図および図４の分解斜視図に示すように、バルブリフタ１９は円筒状に形成され、その外周面１９ａには回り止め用の突起１９ｂが設けられている。この突起１９ｂは、図５の縦断面図に示すごとく、シリンダヘッド９に設けられたリフタボア９ａの内周面に設けられた回り止め用の溝９ｂに挿入される。このことにより、突起１９ｂと溝９ｂとが回り止め機構を構成して、バルブリフタ１９をリフタボア９ａ内で回転不能にかつリフタボア９ａの軸方向に摺動可能にガイドしている。
【００５６】
突起１９ｂは、図６（Ａ）の斜視図、（Ｂ）の正面図、（Ｃ）の平面図、（Ｄ）の左側面図、（Ｅ）の背面図に示すごとく、円柱状の圧入部１９ｃと略直方体状の突出部１９ｄとから構成されている。円柱状の圧入部１９ｃはバルブリフタ１９の外周面１９ａから内周面１９ｆにかけて貫通して形成された圧入孔１９ｇに圧入される。このことで圧入部１９ｃの一端に存在する突出部１９ｄがバルブリフタ１９の外周面１９ａに突出状態で配置される。
【００５７】
なお、突出部１９ｄの表面の内、回り止め用の溝９ｂの側面９ｃに対面する両側面１９ｅは平面ではなく、大きな半径のＲが形成されて湾曲状態とされている。例えば、回り止め用の溝９ｂの幅が６ｍｍであれば、Ｒ＝３０ｍｍ以上で形成された凸状湾曲面とされている。
【００５８】
図７の横断面図（図５におけるＡ−Ａ断面）に示すごとく、バルブリフタ１９の円筒状の外周面１９ａの中心軸Ａｅと、円筒状の内周面１９ｆの中心軸Ａｉとは一致しておらず、オフセットＤ１が設定されている。このオフセットＤ１により、バルブリフタ１９の周壁部１９ｈは内周面１９ｆがオフセットしている方向が最も薄い状態の薄壁部１９ｉを形成し、反対側は最も厚い状態の厚壁部１９ｊを形成している。
【００５９】
この厚壁部１９ｊに、前記突起１９ｂを固定するための圧入孔１９ｇが外周面１９ａから内周面１９ｆに貫通して形成されている。したがって、前記突起１９ｂは厚壁部１９ｊの位置における外周面１９ａから突出した状態にある。
【００６０】
バルブリフタ１９の頂面１９ｋにはカムフォロアホルダ２４が一体的に形成され、同カムフォロアホルダ２４にはカムフォロア２５（揺動フォロワに相当する）がその幅方向に揺動可能に支持されている。バルブリフタ１９はシリンダヘッド９との間に圧縮状態で配置しているバネ１８ａにより吸気側カム１１側へ付勢されている。このため、カムフォロア２５のカム摺動面２５ａは、吸気側カム１１のカム面１１ａ側へ押圧されて、カム面１１ａに対して摺動状態に接触されるとともに、カムフォロア２５はカム面１１ａに従って揺動する。
【００６１】
カムフォロア２５は、図４の分解斜視図および図８（Ａ）の正面図、（Ｂ）の平面図、（Ｃ）の右側面図、および（Ｄ）の底面図に示すごとく、半円柱状の本体２５ｂと、この本体２５ｂにおける揺動軸方向（図４，８矢印Ｂ１方向）の中央部に本体２５ｂよりも大径に形成された拡大部２５ｃとを有している。この本体２５ｂの円柱状外周面が、図３に示したごとく、バルブリフタ１９のカムフォロアホルダ２４に配置した場合、カムフォロア２５の揺動時に、カムフォロアホルダ２４に形成された断面半円形のガイド溝２４ａに対して摺動する摺動面２５ｄとなる。
【００６２】
また、カムフォロア２５の拡大部２５ｃは、この拡大部２５ｃに対応してガイド溝２４ａの中央部（矢印Ｂ１方向での中央部）に形成された拡大溝２４ｂ内に収納されている。このことにより、拡大部２５ｃのスラスト面２５ｅと、拡大溝２４ｂのスラスト面２４ｃとが当接することになり、カムフォロア２５が矢印Ｂ１にて示す揺動軸方向へ移動することを阻止できる。すなわち、バルブリフタ１９のカムフォロアホルダ２４に配置されたカムフォロア２５は、揺動軸周りに揺動可能であるが、揺動軸方向へは移動が不能とされている。
【００６３】
ここで、カムフォロアホルダ２４は、バルブリフタ１９の頂面１９ｋにおいて、カムフォロア２５の揺動軸方向（矢印Ｂ１方向）がオフセット方向とは直交する方向となるように形成されている。更に、カムフォロアホルダ２４は円形の頂面１９ｋの中心部に配置されている。このことにより、図９の平面図（吸気側カム１１は除いて示している）に示すごとく、カムフォロア２５の中心部は、外周面１９ａの中心軸Ａｅに存在し、カムフォロア２５の揺動軸方向（矢印Ｂ１方向）は中心軸Ａｅに直交するように配置される。
【００６４】
内周面１９ｆは、吸気バルブ１８のバルブステム１８ｂ、バネ１８ａ、リテーナ１８ｃおよびバルブコッタ１８ｆが収納される収納室２７の外周を構成するものである。この内周面１９ｆの中心軸Ａｉに対して、バルブステム１８ｂおよびバネ１８ａの中心軸は一致されている。したがって、図９に示したごとく、バルブステム１８ｂの上端であるステムエンド１８ｅが下からバルブリフタ１９に当接する中心Ｖ１とカムフォロア２５の中心Ｖ２との間には、前述したオフセットＤ１分のずれが存在する。
【００６５】
なお、ステムエンド１８ｅの先端面１８ｄは頂面１９ｋに対して裏側に存在する突出部１９ｍの下面（基準面）に当接している。このことにより、吸気側カム１１の回転によるカム面１１ａのリフト量の変化を、カムフォロア２５とバルブリフタ１９とを介して、吸気バルブ１８自身の開度に正確に反映させることができる。
【００６６】
以上説明した本実施の形態１によれば、以下の効果が得られる。
（イ）．本実施の形態１では、バルブリフタ１９の円筒状の外周面１９ａと、ステムエンド１８ｅ等が収納される収納室２７（本実施の形態１では内周面１９ｆの内部に該当）との間のオフセットＤ１により、厚壁部１９ｊを形成する空間的余裕を生じさせている。更に、厚壁部１９ｊから離れるに従って次第に薄くなり、特に薄壁部１９ｉでは極めて薄い状態にされている。このため、バルブリフタ１９は全体的にほとんど重量を上昇させず、あるいは厚壁部１９ｊ以外は十分に薄肉化させることで更に軽量化することもできる。したがって、厚壁部１９ｊに加工が容易な圧入法により前記突起１９ｂを取り付けることができる。
【００６７】
また、内周面１９ｆについては円筒状でよいので加工も容易である。
（ロ）．しかもこのように十分に肉厚な厚壁部１９ｊが形成できることによりバルブリフタ１９に歪みを生じさせることなく十分な大きさの突起１９ｂを取り付けられる。このため、シリンダヘッド９に形成された回り止め用の溝９ｂに対する接触面積が増加し面圧を低下させることができるため、耐久性も向上させることができる。
【００６８】
（ハ）．厚壁部１９ｊはバルブリフタ１９の軸方向に長く存在するので、頂面１９ｋの付近でなくてもバルブリフタ１９の外周面１９ａに回り止め機構を形成できる。このため、回り止め機構の設計の自由度が高まる。
【００６９】
（ニ）．オフセットＤ１は、吸気側カム１１の回転軸方向（図示矢印Ｃ１方向）になされているとともに、吸気側カム１１およびカムフォロア２５の位置は、バルブリフタ１９の外周面１９ａの中心軸Ａｅに一致させている。
【００７０】
このように、円筒形の外周面１９ａの中心軸Ａｅにほぼ一致するように吸気側カム１１およびカムフォロア２５が配置されていることにより、カムフォロア２５が外周面１９ａの直径の長さに等しくできる。すなわち、カムフォロア２５は頂面１９ｋ上で最大の長さを取り得る。このため、吸気側カム１１のカム面１１ａがその回転軸方向とは直交する方向（図示矢印Ｂ１方向と同じ）で摺動できる領域を十分に確保できる。したがって、吸気側カム１１のカムノーズ高さを高くして、リフト量を大きくしたりリフト速度を高めることができる。
【００７１】
（ホ）．吸気側カム１１およびカムフォロア２５がバルブステム１８ｂの中心軸Ａｉから離れる構成となるので、吸気側カム１１を吸気バルブ１８側に存在するジャーナル軸受２２から離すように配置することができる。このため、吸気側カム１１の回転軸方向での移動量を大きくすることができ、リフト量の変化をより大きく、変化パターンをより複雑にすることができる。
【００７２】
（ヘ）．突起１９ｂの突出部１９ｄにおいては、回り止め用の溝９ｂの側面９ｃに対向する側面１９ｅがＲ形状とされている。このことにより、側面１９ｅがストレートの場合に比較して、バルブリフタ１９がコックした場合に、突出部１９ｄの上下端の角部が対向する溝９ｂの側面９ｃに接触することが防止できる。このため、接触面圧を低い状態に維持して異常摩耗を防止し、回り止め機構の耐久性を向上させることができる。
【００７３】
［実施の形態２］
実施の形態２として図１０の斜視図および図１１の分解斜視図にバルブリフタ１１９および可変動弁装置の主要部を示す。図１２は吸気側カム１１１の軸方向（図示矢印Ｃ２方向）での縦断面図、図１３は平面図（吸気側カム１１１は除いて示している）である。実施の形態１と同一機能の構成には、実施の形態１の構成に付した符号に「１００」を加えた符号を付している。
【００７４】
本実施の形態２においては、バルブリフタ１１９の外周面１１９ａと内周面１１９ｆとが吸気側カム１１１の軸方向にオフセットＤ２されている点は同じである。ただし、オフセットＤ２の大きさは実施の形態１のオフセットＤ１と同じとは限らない。
【００７５】
前記実施の形態１と異なる点は、カムフォロアホルダ１２４が、図１２に示すごとく、バルブステム１１８ｂの中心軸（内周面１１９ｆの中心軸Ｖ１１と同じ）上にその中心が来るように形成されている点である。
【００７６】
すなわち、前記実施の形態１ではバルブリフタの頂面の中心にカムフォロアホルダの中心が配置され、このことにより、カムフォロアもバルブリフタの頂面の中心に配置されていた。しかし、図１３に示すごとく、本実施の形態２のカムフォロアホルダ１２４とカムフォロア１２５とはバルブステム１１８ｂの中心軸（Ｖ１１）上に中心位置が存在する。
【００７７】
このように、頂面１１９ｋの中心位置（外周面１１９ａの中心軸Ｖ１２上の位置）からずれた位置にカムフォロアホルダ１２４が配置されるため、自ずとカムフォロアホルダ１２４のガイド溝１２４ａは短く形成され、これに対応してカムフォロア１２５の揺動軸方向（図示矢印Ｂ２方向）の長さも短く形成されている。
【００７８】
他の構成については、前記実施の形態１と同じである。
以上説明した本実施の形態２によれば、以下の効果が得られる。
（イ）．前記実施の形態１の（イ）〜（ハ）および（ヘ）と同じ作用効果が生じる。
【００７９】
（ロ）．オフセットＤ２は、吸気側カム１１１の回転軸方向になされているとともに、吸気側カム１１１およびカムフォロア１２５の中心位置は共にバルブステム１１８ｂの中心軸（Ｖ１１）に配置されている。したがって、バルブリフタ１１９の頂面１１９ｋの広い範囲で剛性を強くする必要がない。このため、図１２に示すごとく、頂面１１９ｋに対して裏側に存在する突出部１１９ｍは実施の形態１の場合よりも直径が小さくされている。このように、吸気側カム１１１およびカムフォロア１２５とステムエンド１１８ｅとの間の狭い範囲での剛性を維持すればよいので、突出部１１９ｍの径は小さくでき、バルブリフタ１１９を一層軽量化できる。
【００８０】
（ハ）．吸気側カム１１１−カムフォロア１２５−バルブリフタ１１９−ステムエンド１１８ｅで表されるリフト作用力の伝達経路が直線状態となる。このため、吸気側カム１１１の回転による圧力や衝撃力によっても、これらの作用力の伝達経路に歪みが生じにくい。したがって、（ロ）に述べたバルブリフタ１１９の一層の軽量化とともに、一層正確なバルブリフト量の調整が可能となる。
【００８１】
［実施の形態３］
実施の形態３として図１４の斜視図および図１５の分解斜視図にバルブリフタ２１９および可変動弁装置の主要部を示す。図１６は吸気側カム２１１の軸方向（図示矢印Ｃ３方向）での縦断面図、図１７は平面図（吸気側カム２１１は除いて示している）である。実施の形態１と同一機能の構成には、実施の形態１の構成に付した符号に「２００」を加えた符号を付している。
【００８２】
本実施の形態３においては、バルブリフタ２１９の外周面２１９ａと内周面２１９ｆとが吸気側カム２１１の軸方向にオフセットＤ３されている点は同じである。ただし、オフセットＤ３の大きさは前記実施の形態１，２のオフセットＤ１，Ｄ２と同じとは限らない。
【００８３】
前記実施の形態１と異なる点は、図１６および図１７に示すごとく、外周面２１９ａの中心軸Ｖ２２を挟んでバルブステム２１８ｂの中心軸（内周面２１９ｆの中心軸Ｖ２１と同じ）とは反対側に、カムフォロアホルダ２２４の中心位置Ｖ２３が来るように形成されている点である。
【００８４】
すなわち、前記実施の形態１ではバルブリフタの頂面の中心にカムフォロアホルダの中心が配置され、このことにより、カムフォロアもバルブリフタの頂面の中心に配置されていた。しかし、図１６，１７に示すごとく、本実施の形態３のカムフォロアホルダ２２４とカムフォロア２２５とはバルブリフタ２１９に対して、吸気側カム２１１の軸方向で、かつバルブステム２１８ｂとは反対側にオフセットＥ３されている。このことにより、カムフォロアホルダ２２４およびカムフォロア２２５はバルブステム２１８ｂから大きく離れている。
【００８５】
このように、頂面２１９ｋの中心位置（外周面２１９ａの中心軸Ｖ２２上の位置）からずれた位置にカムフォロアホルダ２２４が配置されるため、自ずとカムフォロアホルダ２２４のガイド溝２２４ａは短く形成され、これに対応してカムフォロア２２５の揺動軸方向（図示矢印Ｂ３方向）の長さも短く形成されている。
【００８６】
他の構成については、前記実施の形態１と同じである。
以上説明した本実施の形態３によれば、以下の効果が得られる。
（イ）．前記実施の形態１の（イ）〜（ハ）、（ホ）および（ヘ）と同じ作用効果が生じる。この内でも、特に吸気側カム２１１およびカムフォロア２２５がバルブステム２１８ｂの中心軸（Ｖ２１）から大きく離れる構成となる。このため、吸気側カム２１１を吸気バルブ２１８側に存在するジャーナル軸受から実施の形態１の場合よりも更に離すことができる。したがって、吸気側カム２１１の回転軸方向での移動量を更に大きくすることができ、リフト量の変化を一層大きく、リフト量の変化パターンを一層複雑にすることができる。
【００８７】
［実施の形態４］
実施の形態４として図１８の斜視図および図１９の分解斜視図にバルブリフタ３１９および可変動弁装置の主要部を示す。図２０は吸気側カム３１１の回転軸方向（図示矢印Ｃ４方向）とは直交する方向での縦断面図、図２１は平面図である。実施の形態１と同一機能の構成には、実施の形態１の構成に付した符号に「３００」を加えた符号を付している。
【００８８】
本実施の形態４において、前記実施の形態１との大きな相違点は、図から明らかなごとく、吸気側カム３１１の回転軸方向（図示矢印Ｃ４方向）と、オフセットＤ４方向とが、方向として直交している点である。（なお「方向として直交している」は、方向が直角の角度差を持った関係にあることを意味し、前述したあるいは後述する表現である「直交方向」あるいは「直交する方向」と同じ意味である）
このため、吸気側カム３１１の回転方向に対応して配置されるカムフォロアホルダ３２４およびカムフォロア３２５の配置も実施の形態１に比較して９０°回転した配置とされている。すなわち、カムフォロア３２５の揺動軸方向（図示矢印Ｂ４方向）とオフセットＤ４の方向とは同じ方向である。
【００８９】
ただし、カムフォロアホルダ３２４およびカムフォロア３２５は、バルブリフタ３１９の外周面３１９ａの中心軸Ｖ３２（頂面３１９ｋの中心位置に対応）上に配置されている。このためカムフォロア３２５のカム摺動面３２５ａの長さは、前記実施の形態１の場合と同じとされている。
【００９０】
吸気側カム３１１の回転軸Ａｃは、この中心軸Ｖ３２に直交してカムフォロア３２５のカム摺動面３２５ａに臨んでいる。このため、吸気側カム３１１の回転軸Ａｃは、カム摺動面３２５ａを１／２に分ける位置に存在することになる。
【００９１】
なお、オフセットＤ４は前記各実施の形態のオフセットＤ１〜Ｄ３と同じとは限らない。
他の構成は前記実施の形態１と同じである。
【００９２】
以上説明した本実施の形態４によれば、以下の効果が得られる。
（イ）．前記実施の形態１の（イ）〜（ハ）および（ヘ）と同じ作用効果が生じる。
【００９３】
（ロ）．後述する実施の形態５，６と異なり、吸気側カム３１１の回転軸Ａｃがカム摺動面３２５ａの中央部に配置される。このためカム閉じ側とカム開き側との各カム摺動面３２５ａの長さが同じとなる。
【００９４】
したがって、吸気バルブ３１８を開く場合も閉じる場合もリフト速度を同等とすることができ、全体的にリフト量が十分に確保できる。
［実施の形態５］
実施の形態５として図２２の斜視図にバルブリフタ４１９および可変動弁装置の主要部を示す。図２３は吸気側カム４１１の回転軸方向（図示矢印Ｃ５方向）とは直交する方向での縦断面図、図２４は平面図である。実施の形態１と同一機能の構成には、実施の形態１の構成に付した符号に「４００」を加えた符号を付している。
【００９５】
本実施の形態５において、前記実施の形態４との相違点は、図２３，２４に明らかである。すなわち、吸気側カム４１１の回転軸Ａｃは、バルブリフタ４１９の外周面４１９ａの中心軸Ｖ４２上ではなく、内周面４１９ｆの中心軸Ｖ４１上にてカムフォロア４２５のカム摺動面４２５ａに臨んでいる。このため、吸気側カム４１１の回転軸Ａｃは、バルブステム４１８ｂの中心軸（内周面４１９ｆの中心軸Ｖ４１と同じ）上で該中心軸に直交する状態にある。
【００９６】
一方、カムフォロアホルダ４２４およびカムフォロア４２５の中心は、実施の形態４と同じくバルブリフタ４１９の外周面４１９ａの中心軸Ｖ４２上に配置されている。このため、図２３に示したごとく、吸気側カム４１１の回転軸Ａｃを中心として、カム開き側に配分されるカムフォロア４２５のカム摺動面４２５ａは、カム閉じ側に配分されるカム摺動面４２５ａよりも長くなる。
【００９７】
なお、外周面４１９ａの中心軸Ｖ４２と内周面４１９ｆの中心軸Ｖ４１とのオフセットＤ５は前記各実施の形態のオフセットＤ１〜Ｄ４と同じとは限らない。
他の構成は前記実施の形態４と同じである。
【００９８】
以上説明した本実施の形態５によれば、以下の効果が得られる。
（イ）．前記実施の形態１の（イ）〜（ハ）および（ヘ）と同じ作用効果が生じる。
【００９９】
（ロ）．前記実施の形態４と異なり、吸気側カム４１１の回転軸Ａｃがカム摺動面４２５ａの中央部よりもカム閉じ側にシフトして配置される。このためカム開き側が長くなるので、カム開き側での吸気側カム４１１のカムノーズの高さを一層高くすることができる。このことは、吸気バルブ４１８を開く際に開き速度の最高速を高めることができることを意味する。
【０１００】
このように吸気バルブ４１８の開き速度を早めることができると、図２５に示すごとく、吸気バルブ４１８の開動作の初期にリフト量の増加が緩慢な期間Ｆを長くしても、その後に急速に必要なリフト量まで、吸気バルブ４１８を開けることができる。このように開動作の初期にリフト量の増加が緩慢な期間Ｆを長くすることにより、排気バルブとのバルブオーバーラップの期間をより長く設定した場合に、ピストンスタンプを防止することができる。
【０１０１】
この場合、更に、排気バルブ側も図２２〜２４に示した構成を、カム閉じ側とカム開き側とを入れ替えた構成として採用してもよい。このように、排気バルブの閉動作の終期にリフト量の減少が緩慢な期間を長く形成すれば、図２６に示すごとく、吸気バルブ４１８も排気バルブも共にピストンスタンプの発生を心配することなく、十分に長いバルブオーバーラップＲを達成することができる。
【０１０２】
更に、この構成を利用して、図２７に示すごとく、ピストン上昇速度が最高となるタイミングＭ１で排気バルブのリフト量を最大として排気効率を上げるようにしても良い。更に、ピストン下降速度が最高となるタイミングＭ２で吸気バルブ４１８のリフト量を最大として吸気効率を上げるようにしても良い。
【０１０３】
このように、バルブのリフト速度に初期と終期とで緩急をつけることが容易となり、バルブリフト量制御の自由度が向上する。
［実施の形態６］
実施の形態６として図２８の斜視図にバルブリフタ５１９および可変動弁装置の主要部を示す。図２９は吸気側カム５１１の回転軸方向（図示矢印Ｃ６方向）とは直交する方向での縦断面図、図３０は平面図である。実施の形態１と同一機能の構成には、実施の形態１の構成に付した符号に「５００」を加えた符号を付している。
【０１０４】
本実施の形態６において、前記実施の形態４との相違点は、図２９，３０に明らかである。すなわち、吸気側カム５１１の回転軸Ａｃは、バルブリフタ５１９の外周面５１９ａの中心軸Ｖ５２からは、内周面５１９ｆの中心軸Ｖ５１とは反対側の位置Ｖ５３にオフセットＥ６（前記実施の形態３のオフセットＥ３と同じとは限らない）されている。このため、吸気側カム５１１の回転軸Ａｃは、バルブステム５１８ｂの中心軸（内周面５１９ｆの中心軸Ｖ５１と同じ）とは大きく離れた位置で、バルブステム５１８ｂの中心軸に方向として直交する状態にある。
【０１０５】
一方、カムフォロアホルダ５２４およびカムフォロア５２５の中心は、実施の形態４，５と同じくバルブリフタ５１９の頂面５１９ｋの中心位置（外周面５１９ａの中心軸Ｖ５２上の位置）に配置されている。なお、吸気側カム５１１の回転方向は実施の形態４，５とは逆回りである。このため、図２９に示したごとく、吸気側カム５１１の回転軸Ａｃを中心として、カム開き側に配分されるカムフォロア５２５のカム摺動面５２５ａは、カム閉じ側に配分されるカム摺動面５２５ａよりも長くなる。
【０１０６】
なお、外周面５１９ａの中心軸Ｖ５２と内周面５１９ｆの中心軸Ｖ５１とのオフセットＤ６は、前記各実施の形態のオフセットＤ１〜Ｄ５と同じとは限らない。
【０１０７】
他の構成は前記実施の形態４と同じである。
以上説明した本実施の形態６によれば、以下の効果が得られる。
（イ）．前記実施の形態１の（イ）〜（ハ）および（ヘ）と同じ作用効果が生じる。
【０１０８】
（ロ）．前記実施の形態５の（ロ）と同じ作用効果が生じる。
（ハ）．吸気バルブ５１８の中心軸（Ｖ５１）と吸気側カム５１１の回転軸Ａｃ（Ｖ５３）とが大きく離れた構成となるので、吸気バルブ５１８と排気バルブとの間が狭くても、吸気側カム５１１と排気側カムとを離して配置することができる。例えば、図３１に示すごとく、吸気側カム５１１側のバルブリフタ５１９と排気側カム６１１のバルブリフタ６１９との両方に、上述した実施の形態６の構成を適用した場合、吸気バルブ５１８と排気バルブ６１８との間が狭くても、吸気側カム５１１と排気側カム６１１との間のカム間ピッチを更に大きくして配置することができる。また、逆に吸気バルブ５１８と排気バルブ６１８との間が広くても、カム間ピッチを更に小さくして配置することもできる。
【０１０９】
このようにカムとバルブとの相互の配置の自由度が高まるので、カムの配置に拘束されずにバルブ挟み角θが内燃機関の性能を考慮した配置にでき、内燃機関の性能向上にも貢献できる。
【０１１０】
［その他の実施の形態］
・前記各実施の形態において、バルブリフタ側に回り止め用の突起を設け、シリンダヘッド側に回り止め用の溝を設けたが、逆に、バルブリフタ側に回り止め用の溝を設け、シリンダヘッド側に回り止め用の突起を設けてもよい。
【０１１１】
・前記各実施の形態において、回り止め用の溝の側面に対向する突出部側の側面がＲ形状とされていたが、Ｒ形状の代わりに、突出部の側面の上下両端部が緩やかな面取り形状となっていてもよい。この場合も、バルブリフタがコックした場合に上下端の角部が対向する溝の側面に対して接触することを防止でき、同様な作用効果を生じさせることができる。
【０１１２】
・前記実施の形態２において、吸気側カムおよびカムフォロアの中心を、バルブステムの中心軸に一致させたが、バルブリフタの外周面の中心軸〜バルブステムの中心軸の間の領域のいずれかに、吸気側カムおよびカムフォロアの中心を配置してもよい。この場合は、実施の形態１と実施の形態２との中間の作用効果が生じる。
【０１１３】
・前記実施の形態５において、吸気側カムの回転軸を、バルブステムの中心軸の位置でバルブステムの中心軸と直交させたが、バルブリフタの外周面の中心軸〜バルブステムの中心軸の間の領域のいずれかに吸気側カムの回転軸が対向するように配置してもよい。この場合は、実施の形態４と実施の形態５との中間の作用効果が生じる。
【０１１４】
・前記各実施の形態において図示した外周面と内周面とのオフセット量は、一例であり、必要に応じて更に大きくしても小さくしてもよい。
・前記各実施の形態においては、外周面と内周面とは円筒状で中心軸がオフセットさせたのみであったが、更に回り止め用の突起（溝の場合も同じ）が設けられる位置のみ肉厚状態にして残して、他を更に薄くして、より軽量化してもよい。例えば、図３２に示すごとく、バルブステム７１８ｂ、リテーナ７１８ｃ、バルブコッタ７１８ｆおよびバネ等が収納される円形の収納空間分は確保し、かつ回り止め用の突起７１９ｂ部分の厚みを維持して、バルブリフタの周壁部７１９ｈを極力薄くしてもよい。
【０１１５】
・図３３〜３５に示すごとく、バルブリフタ８１９の外周面８１９ａに回り止め用の突起を設けるために、溝８１９ｐを外周面８１９ａの中心軸Ｖ６２に沿った縦溝として設け、この中に短半円柱状のキー８１９ｒを嵌入して固定してもよい。このキー８１９ｒには大面積の側面８１９ｓが存在することにより、シリンダヘッド８０９に設けられた回り止め用の溝８０９ｂの側面８０９ｃに対する面圧を低下させることができ、異常摩耗をより効果的に防止して、回り止め機構の耐久性を向上させることができる。
【０１１６】
・図３６に示すごとく、回り止め用の突起の代わりに、バルブリフタ９１９の外周面９１９ａから内周面９１９ｆへ貫通する回り止め用の長孔９１９ｔを外周面９１９ａの中心軸に沿って設けてもよい。そして、シリンダヘッド９０９側からはボルト９０９ｔ等の先端部９０９ｕを前記長孔９１９ｔ内に突出させることにより、回り止め機構とすることができる。なお、回り止め用の長孔９１９ｔのごとく貫通孔でなく、バルブリフタ９１９の外周面９１９ａに中心軸方向に設けた回り止め用の溝であってもよい。
【０１１７】
・前記各実施の形態では、吸気側カムを３次元カムとして形成して、対応するバルブリフタにカムフォロアを設けていたが、排気側カムを３次元カムとして各実施の形態にて述べたと同じ構成としてもよい。この場合、吸気側カムシャフトに設けられたシャフト駆動機構と同じシャフト駆動機構が排気側カムシャフト側にも設けられ、排気側カムシャフトは軸方向にも移動可能とされる。
【０１１８】
・前記各実施の形態の突起の構成において、図６に示したごとく、Ｒは突出部１９ｄの上下面１９ｚの幅Ｗ１の半分よりも大きく形成することとしてもよく、このことによっても、前記実施の形態１の（ヘ）の作用効果を生じる。
【０１１９】
・また、Ｒ＞Ｗ１／２に設定すると共に、図３７に示すごとく、バルブリフタがリフタボアの中心軸に対して傾いた場合、すなわちコックした場合に、突出部１９ｄが回り止め用の溝の側面９ｃに接触する位置Ｐが、圧入部１９ｃの上下幅Ｗ２以内であるように設定してもよい。このようにすることにより、接触位置Ｐにて側面９ｃから圧入部１９ｃへ加わるモーメントが小さくなると共に、接触位置Ｐからの力のほとんどを圧入部１９ｃにて受けることになるので、突起１９ｂにおける取り付けの耐久性が向上する。
【０１２０】
・前記各実施の形態では、突起を圧入にて取り付ける例を示したが、突起を溶接その他の方法にてバルブリフタの外周面に取り付けてもよい。この場合も、バルブリフタの中心軸方向に長く形成されている肉厚部分に取り付けられるのでバルブリフタに歪みを生じることなく、高い設計自由度で取り付けることができる。
【０１２１】
以上、本発明の実施の形態について説明したが、本発明の実施の形態には、特許請求の範囲に記載した技術的事項以外に次のような各種の技術的事項の実施形態を有するものであることを付記しておく。
【０１２２】
（１）．前記突起における前記溝の側面に対向する面が、前記溝の側面に直交する方向での前記突起の幅の半分よりも大きい半径のＲ形状とされていることを特徴とする請求項３記載の３次元カム用バルブリフタ。
【０１２３】
（２）．前記突起における前記溝の側面に対向する面が、前記溝の側面に直交する方向での前記突起の幅の半分よりも大きい半径のＲ形状とされているとともに、３次元カム用バルブリフタの中心軸が前記リフタボアの中心軸に対して傾いた場合に前記溝の側面に接触する位置は、前記溝の側面方向での前記外周面に対する前記突起の取り付け幅以内であることを特徴とする請求項３記載の３次元カム用バルブリフタ。
【０１２４】
【発明の効果】
請求項１記載の３次元カム用バルブリフタの構成によれば、３次元カム用バルブリフタの外周面とステムエンド部分の構成が収納される収納室とのオフセットにより、厚壁部を形成する空間的余裕を生じさせるとともに、他の部分については極めて薄い状態にできる。このため、全体的にほとんど重量を上昇させず、あるいは厚壁部以外は更に薄肉化することで更に軽量化することができる。そして前記厚壁部には圧入などの容易な加工方法により突起を取り付けることができる。しかもこのように厚壁部であることにより３次元カム用バルブリフタに歪みを生じさせることなく十分な大きさの突起を取り付けられる。このため、相手方の溝に対する面圧を低下させることができ耐久性上も問題を生じるおそれがない。また、３次元カム用バルブリフタの外周面に溝を形成する場合も十分に深い溝を形成できる。このため、相手方の突起に対する面圧を低下させるので耐久性上の問題を生じるおそれがない。また、頂面付近でなくても、３次元カム用バルブリフタの外周面に回り止め機構を形成できるので、回り止め機構の設計の自由度が高まる。
【０１２５】
請求項２記載の３次元カム用バルブリフタにおいては、請求項１記載の構成に対して、前記収納室は円筒形に形成されるとともに、該円筒形の内周面と前記外周面とはオフセットされて形成されていることにより、前記厚壁部を形成している。このように、オフセットにより生じた外周面と収納室との間の距離がほぼ最大となる部分に厚壁部を形成する場合に、円筒形の外周面と円筒形の内周面との中心軸をオフセットして成形加工することにより実現してもよく、収納室としては円筒形の穴を形成すればよいので加工が容易である。
【０１２６】
請求項３記載の３次元カム用バルブリフタにおいては、請求項１または２記載の構成に対して、前記リフタボア内の溝に係合する前記突起あるいは前記リフタボア内の前記突起は、係合対象の溝の側面に対向する面がＲ形状とされている。このように、回り止め機構の突起においては前記溝の側面に対向する面がＲ形状とされていることにより、該面がストレートの場合に比較して、３次元カム用バルブリフタがコックした場合に、突起の上下端の角部が対向する溝の側面に接触することが防止される。このため、接触面圧を低い状態に維持して異常摩耗を防止し、回り止め機構の耐久性を向上させることができる。
【０１２７】
請求項４記載の３次元カム用バルブリフタにおいては、請求項１または２記載の構成に対して、前記リフタボア内の溝に係合する前記突起あるいは前記リフタボア内の前記突起は、係合対象の溝の側面に対向する面の前記バルブリフタの軸方向の両端部が緩やかな面取り形状とされている。このように、突起において前記溝の側面に対向する面の両端部が緩やかな面取り形状となっていても、３次元カム用バルブリフタがコックした場合に上下端の角部が対向する溝の側面に対して接触することが防止される。したがって前記請求項３と同じ作用効果を生じる。
【０１２８】
請求項５記載の３次元カム用バルブリフタにおいては、請求項１〜４のいずれか記載の構成に対して、前記溝の代わりに長孔が用いられている。このように突起の相手方として、溝以外に長孔を用いてもよく、同様な作用効果を生じる。
【０１２９】
請求項６記載の可変動弁装置は、請求項１〜５のいずれか記載の３次元カム用バルブリフタを採用することで、前述した各請求項における作用効果を生じさせることができる。更に、オフセットは、前記３次元カムの回転軸方向になされているとともに、３次元カムおよび揺動フォロワは３次元カム用バルブリフタの外周面の中心軸よりもバルブステムの中心軸側に配置されている。すなわち、３次元カムおよび揺動フォロアは、３次元カム用バルブリフタの外周面の中心軸位置でなく、バルブステムに近づけた配置とされている。このように、３次元カム用バルブリフタを間にして、３次元カムおよび揺動フォロワとバルブステムとが近い位置に存在する。したがって、３次元カム用バルブリフタの頂面部分の広い範囲で剛性を強くする必要がなく、３次元カムおよび揺動フォロワとバルブステムとの間の狭い範囲での剛性を維持すれば良い。このため、３次元カム用バルブリフタの頂面部分の広い範囲の剛性を肉厚により高くする必要が無く、３次元カム用バルブリフタを一層軽量化できる。また、３次元カム−揺動フォロア−３次元カム用バルブリフタ−バルブステムで表されるリフト作用力の伝達経路が直線状態に近く形成される。このため、３次元カムの回転による圧力や衝撃力によっても、これらの作用力の伝達経路に歪みが生じにくい。したがって、３次元カム用バルブリフタの一層の軽量化と一層正確なバルブリフト量調整とが共に達成できる。
【０１３０】
請求項７記載の可変動弁装置においては、請求項６記載の構成に対して、前記３次元カムおよび前記揺動フォロワは、前記バルブステムの中心軸にほぼ一致する位置に配置されている。このように、３次元カムおよび揺動フォロワの位置をバルブステムの中心軸にほぼ一致させることとすれば、請求項６記載にて述べた３次元カム用バルブリフタの一層の軽量化と一層正確なバルブリフト量調整とが得られるという作用効果が一層顕著なものとなる。
【０１３１】
請求項８記載の可変動弁装置は、請求項１〜５のいずれか記載の３次元カム用バルブリフタを採用することで、前述した各請求項１〜５における作用効果を生じさせることができる。更に、オフセットは、前記３次元カムの回転軸方向になされているとともに、３次元カムおよび揺動フォロワの位置は、３次元カム用バルブリフタの外周面の中心軸にほぼ一致されている。このように、円筒形の外周面の中心軸にほぼ一致するように３次元カムおよび揺動フォロアが配置されていることにより、揺動フォロアの長さを外周面の直径の長さにほぼ等しくできる。このため、３次元カムのカム面がその回転軸とは直交する方向にて揺動フォロアに摺動できる長さが十分に確保できる。このことにより、３次元カムのカムノーズ高さを高くしてリフト量を大きくしたりあるいはリフト速度を高めることができ、リフト量の変化パターンの設計自由度が向上する。また、３次元カムおよび揺動フォロワがバルブステムから離れる構成となるので、３次元カムがバルブ側に存在するジャーナル軸受から離れる。このため、３次元カムの回転軸方向での移動量を大きくすることができ、リフト量の変化をより大きく、変化パターンをより複雑にすることができる。
【０１３２】
請求項９記載の可変動弁装置は、請求項１〜５のいずれか記載の３次元カム用バルブリフタを採用することで、前述した各請求項１〜５における作用効果を生じさせることができる。更に、オフセットは、前記３次元カムの回転軸方向になされているとともに、３次元カムおよび揺動フォロワの位置は、３次元カム用バルブリフタの外周面の中心軸からバルブのバルブステムの中心軸側とは反対側に配置されている。このように、請求項８に比較して更にバルブステムから３次元カムおよび揺動フォロワが離されている。このため、３次元カムの位置がジャーナル軸受から大きく離れる。したがって、３次元カムの回転軸方向での移動量を一層大きくすることができ、リフト量の変化を更に一層大きく、またリフト量の変化パターンを更に一層複雑にすることができる。
【０１３３】
請求項１０記載の可変動弁装置は、請求項１〜５のいずれか記載の３次元カム用バルブリフタを採用することで、前述した各請求項における作用効果を生じさせることができる。更に、オフセットは、３次元カムの回転軸とは直交方向になされているとともに、３次元カムの回転軸は３次元カム用バルブリフタの外周面の中心軸からバルブステムの中心軸側に位置されている。すなわち、３次元カムの回転軸は、３次元カム用バルブリフタの外周面の中心軸位置でなく、バルブステムに近づけた配置とされている。したがって、３次元カムの回転軸は揺動フォロアの中央位置からシフトした位置に存在することになる。このため、カム開き側とカム閉じ側とのいずれかにおける揺動フォロアの長さが長くなる。この長い方の揺動フォロア領域を利用すればリフト速度に初期と終期とで緩急をつけることが容易となり、バルブリフト量制御の自由度が向上する。
【０１３４】
請求項１１記載の可変動弁装置においては、請求項１０記載の構成に対して、前記３次元カムは、該３次元カムの回転軸が前記バルブステムの中心軸あるいは該中心軸の近傍を通過する位置に配置されている。このように構成することによっても、請求項１０記載の作用効果を生じさせることができる。
【０１３５】
請求項１２記載の可変動弁装置は、請求項１〜５のいずれか記載の３次元カム用バルブリフタを採用することで、前述した各請求項における作用効果を生じさせることができる。更に、オフセットは、３次元カムの回転軸とは直交方向になされているとともに、３次元カムの回転軸は３次元カム用バルブリフタの外周面の中心軸あるいは該中心軸の近傍を通過する位置とされている。したがって、３次元カムの回転軸は揺動フォロアのほぼ中央位置に存在することになる。このため、揺動フォロアのカム開き側と揺動フォロアのカム閉じ側とはほぼ同等の長さとなる。したがって、バルブを開く場合も閉じる場合もリフト速度を同等とすることができ、このことからリフト量を十分に確保できることとなる。
【０１３６】
請求項１３記載の可変動弁装置は、請求項１〜５のいずれか記載の３次元カム用バルブリフタを採用することで、前述した各請求項における作用効果を生じさせることができる。更に、オフセットは、３次元カムの回転軸とは直交方向になされているとともに、３次元カムの回転軸は３次元カム用バルブリフタの外周面の中心軸からバルブステムの中心軸側とは反対側に位置されている。すなわち、３次元カムは、３次元カム用バルブリフタの外周面の中心位置にある場合よりも、バルブステムからより遠ざけた配置とされている。したがって、３次元カムの回転軸は揺動フォロアの中央位置からシフトした位置に存在することになる。このため、前記請求項１０と同様な作用効果が生じる。更に、バルブステムから十分に３次元カムが離れていることにより、バルブ同士が近接しているような設計の内燃機関でも、３次元カムのカム間ピッチを広くとることができる。また逆にバルブよりもカム間ピッチを狭くすることも可能である。したがって、内燃機関の設計自由度を向上させることができる。
【図面の簡単な説明】
【図１】  実施の形態１における可変動弁装置の構成説明図。
【図２】  図１の構成が適用された車両用ガソリンエンジンの概略構成図。
【図３】  実施の形態１の３次元カム用可変動弁装置の斜視図。
【図４】  実施の形態１の３次元カム用可変動弁装置の分解斜視図。
【図５】  実施の形態１の３次元カム用可変動弁装置の縦断面図。
【図６】  実施の形態１に用いられる回り止め用の突起の構成説明図。
【図７】  実施の形態１の３次元カム用可変動弁装置の図５におけるＡ−Ａ断面図。
【図８】  実施の形態１に用いられるカムフォロアの構成説明図。
【図９】  実施の形態１の３次元カム用可変動弁装置の平面図。
【図１０】  実施の形態２の３次元カム用可変動弁装置の斜視図。
【図１１】  実施の形態２の３次元カム用可変動弁装置の分解斜視図。
【図１２】  実施の形態２の３次元カム用可変動弁装置の縦断面図。
【図１３】  実施の形態２の３次元カム用可変動弁装置の平面図。
【図１４】  実施の形態３の３次元カム用可変動弁装置の斜視図。
【図１５】  実施の形態３の３次元カム用可変動弁装置の分解斜視図。
【図１６】  実施の形態３の３次元カム用可変動弁装置の縦断面図。
【図１７】  実施の形態３の３次元カム用可変動弁装置の平面図。
【図１８】  実施の形態４の３次元カム用可変動弁装置の斜視図。
【図１９】  実施の形態４の３次元カム用可変動弁装置の分解斜視図。
【図２０】  実施の形態４の３次元カム用可変動弁装置の縦断面図。
【図２１】  実施の形態４の３次元カム用可変動弁装置の平面図。
【図２２】  実施の形態５の３次元カム用可変動弁装置の斜視図。
【図２３】  実施の形態５の３次元カム用可変動弁装置の縦断面図。
【図２４】  実施の形態５の３次元カム用可変動弁装置の平面図。
【図２５】  実施の形態５における作用効果の説明用グラフ。
【図２６】  実施の形態５における作用効果の説明用グラフ。
【図２７】  実施の形態５における作用効果の説明用グラフ。
【図２８】  実施の形態６の３次元カム用可変動弁装置の斜視図。
【図２９】  実施の形態６の３次元カム用可変動弁装置の縦断面図。
【図３０】  実施の形態６の３次元カム用可変動弁装置の平面図。
【図３１】  実施の形態６における配置の一例を示す説明図。
【図３２】  他の実施の形態の構成を示す横断面図。
【図３３】  他の実施の形態の構成を示す横断面図。
【図３４】  他の実施の形態の構成を示す横断面図。
【図３５】  他の実施の形態の構成を示す縦断面図。
【図３６】  他の実施の形態の構成を示す縦断面図。
【図３７】  他の実施の形態の構成説明図。
【図３８】  従来の３次元カム用可変動弁装置の構成説明図。
【符号の説明】
１…エンジン、２…シリンダブロック、３…シリンダ、４…ピストン、５…クランクケース、６…クランクシャフト、７…コンロッド、８…クランクシャフトタイミングプーリ、９…シリンダヘッド、９ａ…リフタボア、９ｂ…回り止め用の溝、９ｃ…側面、１０…吸気側カムシャフト、１１…吸気側カム、１１ａ…カム面、１２…排気側カムシャフト、１３…排気側カム、１４…カムシャフトタイミングプーリ、１５…シャフト駆動機構、１６…カムシャフトタイミングプーリ、１７…タイミングベルト、１８…吸気バルブ、１８ａ…バネ、１８ｂ…バルブステム、１８ｃ…リテーナ、１８ｄ…先端面、１８ｅ…ステムエンド、１８ｆ…バルブコッタ、１９…バルブリフタ、１９ａ…外周面、１９ｂ…回り止め用の突起、１９ｃ…圧入部、１９ｄ…突出部、１９ｅ…側面、１９ｆ…内周面、１９ｇ…圧入孔、１９ｈ…周壁部、１９ｉ…薄壁部、１９ｊ…厚壁部、１９ｋ…頂面、１９ｍ…突出部、１９ｚ…上下面、２０…排気バルブ、２１…バルブリフタ、２２…ジャーナル軸受、２４…カムフォロアホルダ、２４ａ…ガイド溝、２４ｂ…拡大溝、２４ｃ…スラスト面、２５…カムフォロア、２５ａ…カム摺動面、２５ｂ…本体、２５ｃ…拡大部、２５ｄ… 摺動面、２５ｅ…スラスト面、２７…収納室、１１１…吸気側カム、１１８ｂ…バルブステム、１１８ｅ…ステムエンド、１１９…バルブリフタ、１１９ａ…外周面、１１９ｆ…内周面、１１９ｋ…頂面、１１９ｍ…突出部、１２４…カムフォロアホルダ、１２４ａ…ガイド溝、１２５…カムフォロア、２１１…吸気側カム、２１８…吸気バルブ、２１８ｂ…バルブステム、２１９…バルブリフタ、２１９ａ…外周面、２１９ｆ…内周面、２１９ｋ…頂面、２２４…カムフォロアホルダ、２２４ａ…ガイド溝、２２５…カムフォロア、３１１…吸気側カム、３１８…吸気バルブ、３１９…バルブリフタ、３１９ｋ…頂面、３２４…カムフォロアホルダ、３２５…カムフォロア、３２５ａ…カム摺動面、４１１…吸気側カム、４１８… 吸気バルブ、４１８ｂ…バルブステム、４１９…バルブリフタ、４１９ｆ…内周面、４１９ｋ…頂面、４２４…カムフォロアホルダ、４２５…カムフォロア、４２５ａ…カム摺動面、５１１…吸気側カム、５１８…吸気バルブ、５１８ｂ…バルブステム、５１９…バルブリフタ、５１９ｆ…内周面、５１９ｋ…頂面、５２４…カムフォロアホルダ、５２５…カムフォロア、５２５ａ…カム摺動面、６１１…排気側カム、６１８…排気バルブ、６１９…バルブリフタ、７１８ｂ…バルブステム、７１８ｃ…リテーナ、７１８ｆ…バルブコッタ、７１９ｈ…周壁部、８０９…シリンダヘッド、８０９ｂ…回り止め用の溝、８０９ｃ…側面、８１９…バルブリフタ、８１９ａ…外周面、８１９ｐ…溝、８１９ｒ…キー、８１９ｓ…側面、９０９…シリンダヘッド、９０９ｔ…ボルト、９０９ｕ…先端部、９１９…バルブリフタ、９１９ａ…外周面、９１９ｆ…内周面、９１９ｔ…回り止め用の長孔、Ａｉ，Ｖ１１，Ｖ２１，Ｖ３１，Ｖ４１，Ｖ５１…内周面の中心軸、Ａｅ，Ｖ１２，Ｖ２２，Ｖ３２，Ｖ４２，Ｖ５２…外周面の中心軸、Ｖ２３…カムフォロアホルダの中心位置，Ｖ５３…吸気側カムの回転軸のオフセット位置。
【図１】
0003700409.tif 000002
【図２】
0003700409.tif 000003
【図３】
0003700409.tif 000004
【図４】
0003700409.tif 000005
【図５】
0003700409.tif 000006
【図６】
0003700409.tif 000007
【図７】
0003700409.tif 000008
【図８】
0003700409.tif 000009
【図９】
0003700409.tif 000010
【図１０】
0003700409.tif 000011
【図１１】
0003700409.tif 000012
【図１２】
0003700409.tif 000013
【図１３】
0003700409.tif 000014
【図１４】
0003700409.tif 000015
【図１５】
0003700409.tif 000016
【図１６】
0003700409.tif 000017
【図１７】
0003700409.tif 000018
【図１８】
0003700409.tif 000019
【図１９】
0003700409.tif 000020
【図２０】
0003700409.tif 000021
【図２１】
0003700409.tif 000022
【図２２】
0003700409.tif 000023
【図２３】
0003700409.tif 000024
【図２４】
0003700409.tif 000025
【図２５】
0003700409.tif 000026
【図２６】
0003700409.tif 000027
【図２７】
0003700409.tif 000028
【図２８】
0003700409.tif 000029
【図２９】
0003700409.tif 000030
【図３０】
0003700409.tif 000031
【図３１】
0003700409.tif 000032
【図３２】
0003700409.tif 000033
【図３３】
0003700409.tif 000034
【図３４】
0003700409.tif 000035
【図３５】
0003700409.tif 000036
【図３６】
0003700409.tif 000037
【図３７】
0003700409.tif 000038
【図３８】
0003700409.tif 000039